(57)【要約】  【課題】本発明は、所定の情報が所定数表示されたメモ帳等の表示付き冊子の製造方法に関し、重ね側面のみや用紙面から重ね側面にかけて連続的に情報表示させるに際し、工程削減を可能とすると共に、情報の可変的な印刷を可能とすることを目的とする。  【解決手段】印刷初期頁に、印刷表示情報のうち、用紙面から重ね側面にかけて連続的に表示させ、または、重ね側面にのみ表示させる表示形態、および印刷対象枚数で特定される印刷方向の最初から所定分の初期頁印刷表示情報を、用紙縁端の重ね側面に対応する部分に印刷し（Ｓ１）、印刷表示情報における一頁あたりの印刷方向変化量に応じた当該印刷表示情報の部分的印刷表示情報を次頁以降の各頁に少なくとも反映させて印刷し（Ｓ２）、印刷された各頁を重ね、上記表示形態で印刷表示情報を表示させる（Ｓ３）、構成とする。  【選択図】  図１
2006168220.tif 000002
【特許請求の範囲】
【請求項１】
所定枚数の用紙が重ねられて冊子とされたときに、少なくとも所定の重ね側面に所定の印刷表示情報を表示させる表示付き冊子の製造方法であって、
印刷初期頁に、前記印刷表示情報のうち、表示形態および印刷対象枚数で特定される印刷方向の最初から所定分の初期頁印刷表示情報を、前記用紙縁端の前記重ね状態で表示される重ね側面となる部分に印刷する第１ステップと、
前記印刷表示情報における前記表示形態および印刷対象枚数で特定される一頁あたりの印刷方向変化量に応じた当該印刷表示情報の部分的印刷表示情報を次頁以降の各頁に少なくとも反映させて印刷する第２ステップと、
印刷された各頁を重ね、前記表示形態として前記印刷表示情報を、用紙面から重ね側面にかけて連続的に表示させ、または、重ね側面にのみ表示させる第３ステップと、
を含むことを特徴とする表示付き冊子の製造方法。
【請求項２】
請求項１記載の表示付き冊子の製造方法であって、前記印刷表示情報を前記用紙面から重ね側面にかけて連続的に表示させる表示形態とするに際し、
前記第１ステップにおいて、前記初期頁印刷表示情報を前記印刷方向変化量より大のものとし、
前記第２ステップにおいて、前記部分的印刷表示情報を、前記初期頁印刷表示情報に前記印刷方向変化量を加えることで反映させたものとして次頁の用紙縁端に印刷し、順次、以降の頁に前頁の部分的印刷表示情報に、当該頁に該当する前記印刷方向変化量の情報を加えた部分的印刷表示情報を当該頁の用紙縁端に印刷していき、印刷対象の最終頁に前記印刷表示情報の全部を印刷することを特徴とする表示付き冊子の製造方法。
【請求項３】
請求項１記載の表示付き冊子の製造方法であって、前記印刷表示情報を前記重ね側面のみに表示させる表示形態とするに際し、
前記第１ステップにおいて、前記初期頁印刷表示情報を前記印刷方向変化量と同等のものとし、
前記第２ステップにおいて、初期頁から最終頁まで、前記印刷方向変化量で特定される前記部分的印刷表示情報をそのまま反映させ、順次、各頁に該当の部分的印刷表示情報を印刷していくことを特徴とする表示付き冊子の製造方法。
【発明の詳細な説明】
【技術分野】
【０００１】
本発明は、所定の情報が所定数表示されたメモ帳等の表示付き冊子の製造方法に関する。
【背景技術】
【０００２】
近年、例えばメモ帳は、単にメモ領域の提供のみならず、当該メモ領域の周辺に所定情報の提供や機能性、意匠性を向上させる表示が施されたものなど種々のものが出現している。例えば、用紙面から重ね側面にかけて所定情報を連続的に表示させる場合や、重ね側面に所定情報を表示させる場合には、そのための工程を必要とすると共に、表示情報は刷版を用いて固定的な情報として印刷している。そのため、工程削減や情報の可変的な印刷を可能とすることが望まれている。
【０００３】
図１１に、従来の表示付きメモ帳の製造方法の説明図を示す。図１１（Ａ）〜（Ｅ）は、用紙面から重ね側面にかけて情報を連続的に表示させるメモ帳の製造方法として、以下の特許文献１に開示されているものである。図１１（Ａ）において、所定枚数の用紙を積み重ねられてメモ帳とする当該総ての用紙１０１に、同じ情報１０２を用紙一方側（用紙下方）に印刷されて重ねられる。そこで、図１１（Ｂ）に示すように、用紙他方端（用紙上方）を固定し（図示せず）、用紙面に対して所定角度折り曲げると、情報１０２が形成された下方端部が当該角度に応じて傾斜された並びとなり、所定位置から垂直に断裁刃１０３によって断裁することにより、図１１（Ｃ）のように垂直断面とする。
【０００４】
図１１（Ｃ）の状態より、断裁面を固定すると共に、上記用紙他方端の固定を解除して水平状態に戻すと、図１１（Ｄ）のように当該用紙他方端の端面が上記角度に応じた傾斜された並びとなる。そして、当該傾斜端面側の所定位置から垂直に断裁刃１０３によって断裁することにより、図１１（Ｅ）のように断裁した両端面が垂直とされたメモ帳となる。すなわち、このようなメモ帳は、印刷インキが用紙に染み込んで用紙端面からも視認可能となるもので、特許文献１（特許第３４７８９５４号公報の図５）に示されるように、上用紙から１枚ずつ取り除いても用紙面から重ね側面にかけて常に同じ情報が連続的に表示されるものである。
【０００５】
一方、所定の情報を重ね用紙の一側面だけに表示させる場合として、冊子状に重ねられた一側面にスタンプ等によって印刷することが一般的に知られているが、以下の特許文献２に開示されているように、印刷インキの用紙への染み込みを利用して用紙縁端部にマーキング印刷をすることによって、各用紙が重ねられたときに天地方向や抜けを容易に判別できるようにさせることが知られている。
【０００６】
【特許文献１】特許第３４７８９５４号公報
【特許文献２】特開２００１−２０５９５５号公報
【発明の開示】
【発明が解決しようとする課題】
【０００７】
しかしながら、上記特許文献１に開示されているように、用紙面から重ね側面にかけて所定情報を表示させるためには、固定、折曲、断裁の工程を必要とし、そのための設備が必要となるという問題がある。また、図１１に示すように、連続的表示の情報１０２の他にメモ領域を確保しつつ別の情報１０４を表示させる場合、これらの情報は刷版により印刷させていることから印刷位置が固定的となり、図１１（Ｄ）、（Ｅ）に示すように、他方端の断裁によって情報１０４が切断されるという問題を生じ、これを回避させようとすると情報１０４の印刷位置を１枚ごとに変化させなければならず、刷版による印刷では非現実的であるという問題がある。
【０００８】
一方、重ね用紙の一側面だけに所定情報を表示させる場合、上述のようにスタンプ印刷ではその分の工程を必要とすると共に、上記特許文献２に開示されているように、印刷によって表示させる場合であっても、上記同様に刷版によって印刷位置や印刷情報が固定的であり、図柄や文字等の可変情報を表示させることができないという問題がある。
【０００９】
そこで、本発明は上記課題に鑑みなされたもので、重ね側面のみや用紙面から重ね側面にかけて連続的に情報表示させるに際し、工程削減を可能とすると共に、情報の可変的な印刷を可能とする表示付き冊子の製造方法を提供することを目的とする。
【課題を解決するための手段】
【００１０】
上記課題を解決するために、請求項１の発明では、所定枚数の用紙が重ねられて冊子とされたときに、少なくとも所定の重ね側面に所定の印刷表示情報を表示させる表示付き冊子の製造方法であって、印刷初期頁に、前記印刷表示情報のうち、表示形態および印刷対象枚数で特定される印刷方向の最初から所定分の初期頁印刷表示情報を、前記用紙縁端の前記重ね状態で表示される重ね側面となる部分に印刷する第１ステップと、前記印刷表示情報における前記表示形態および印刷対象枚数で特定される一頁あたりの印刷方向変化量に応じた当該印刷表示情報の部分的印刷表示情報を次頁以降の各頁に少なくとも反映させて印刷する第２ステップと、印刷された各頁を重ね、前記表示形態として前記印刷表示情報を、用紙面から重ね側面にかけて連続的に表示させ、または、重ね側面にのみ表示させる第３ステップと、を含む構成とする。
【００１１】
請求項２、３の発明では、「前記印刷表示情報を前記用紙面から重ね側面にかけて連続的に表示させる表示形態とするに際し、前記第１ステップにおいて、前記初期頁印刷表示情報を前記印刷方向変化量より大のものとし、前記第２ステップにおいて、前記部分的印刷表示情報を、前記初期頁印刷表示情報に前記印刷方向変化量を加えることで反映させたものとして次頁の用紙縁端に印刷し、順次、以降の頁に前頁の部分的印刷表示情報に、当該頁に該当する前記印刷方向変化量の情報を加えた部分的印刷表示情報を当該頁の用紙縁端に印刷していき、印刷対象の最終頁に前記印刷表示情報の全部を印刷する」構成であり、
「前記印刷表示情報を前記重ね側面のみに表示させる表示形態とするに際し、前記第１ステップにおいて、前記初期頁印刷表示情報を前記印刷方向変化量と同等のものとし、前記第２ステップにおいて、初期頁から最終頁まで、前記印刷方向変化量で特定される前記部分的印刷表示情報をそのまま反映させ、順次、各頁に該当の部分的印刷表示情報を印刷していく」構成である。
【発明の効果】
【００１２】
本発明によれば、印刷初期頁に、印刷表示情報のうち、用紙面から重ね側面にかけて連続的に表示させ、または、重ね側面にのみ表示させる表示形態、および印刷対象枚数で特定される印刷方向の最初から所定分の初期頁印刷表示情報を、用紙縁端の重ね状態で表示される重ね側面となる部分に印刷し、印刷表示情報における上記表示形態および印刷対象枚数で特定される一頁あたりの印刷方向変化量に応じた当該印刷表示情報の部分的印刷表示情報を次頁以降の各頁に少なくとも反映させて印刷し、印刷された各頁を重ね、上記表示形態で印刷表示情報を表示させることにより、重ね側面のみや用紙面から重ね側面にかけて連続的に情報表示させるに際し、製造工程を削減することができると共に、表示させる情報を可変的に印刷することができるものである。
【発明を実施するための最良の形態】
【００１３】
以下、本発明の最良の実施形態を図により説明する。本実施形態では、冊子としてメモ帳を例として示すが、これに限らず書籍、辞書、法文集、雑誌等においても適用することができるものである。
【００１４】
図１に、本発明に係る表示付き冊子の製造方法の原理説明図を示す。図１（Ａ）において、表示付き冊子の製造方法は、所定枚数の用紙が重ねられて冊子としてのメモ帳とされたときに、少なくとも所定の重ね側面に所定の印刷表示情報を表示させるものとして、印刷初期頁に、印刷表示情報のうち、表示形態及び印刷対象枚数で特定される印刷方向の最初から所定分の初期頁印刷表示情報を、用紙縁端の重ね状態で表示される重ね面となる部分に印刷する（ステップ（Ｓ）１）。
【００１５】
続いて、印刷表示情報における表示形態及び印刷対象枚数で特定される一頁あたりの印刷方向変化量に応じた当該印刷表示情報の部分的印刷表示情報を次頁以降の各頁に少なくとも反映させて印刷する（Ｓ２）。そして、印刷された各頁を重ね、前記表示形態として前記印刷表示情報を、用紙面から重ね側面にかけて連続的に表示させ、または、重ね側面にのみ表示させるものである（Ｓ３）。
【００１６】
ここで、上記部分的印刷表示情報の反映とは、前頁の部分的印刷表示情報に一頁あたりの印刷方向変化量を加える場合、または、印刷方向変化量で特定される部分的印刷表示情報そのものの場合であり、前者の場合が図１（Ｂ）に示され、後者の場合が図１（Ｃ）に示される。
【００１７】
すなわち、図１（Ｂ）において、印刷表示情報を用紙面から重ね側面にかけて連続的に表示させる表示形態とする場合に、上記Ｓ１において、初期頁印刷表示情報を印刷方向変化量より大のものとして特定し、上記Ｓ２において、部分的印刷表示情報を、初期頁印刷表示情報に印刷方向変化量を加えることで反映させたものとして次頁の用紙縁端に印刷し、順次、以降の頁に前頁の部分的印刷表示情報に、当該頁に該当する印刷方向変化量の情報を加えた部分的印刷表示情報を当該頁の用紙縁端に印刷していき、印刷対象の最終頁に印刷表示情報の全部を印刷するものである。
【００１８】
また、図１（Ｃ）において、印刷表示情報を前記重ね側面のみに表示させる表示形態とする場合に、上記Ｓ１において、初期頁印刷表示情報を前記印刷方向変化量と同等のものとし、上記Ｓ２において、初期頁から最終頁まで、前記印刷方向変化量で特定される前記部分的印刷表示情報をそのまま反映させ、順次、各頁に該当の部分的印刷表示情報を印刷していくものである。
【００１９】
そこで、図２に、発明に係る表示付き冊子の冊子製造を実現する印刷システムの処理ブロック図を示す。図２に示す印刷システム１０は、印刷制御処理装置１１、これに付随する入力手段１２および表示手段１３と、当該印刷制御処理装置１１より印刷データを受信して印刷を行うプリンタ２１により構成される。上記入力手段１２は、キーボードやマウス等の他にスキャナ等を含む。また、上記表示手段１３は、当該処理装置１１の作業状態を表示するディスプレイである。そして、プリンタ２１は、レーザプリンタ、インクジェットプリンタ等の印刷データに応じて可変的に印刷情報を印刷することができるものである。
【００２０】
上記印刷制御処理装置１１は、制御手段３１、バス３２、インタフェース（ＩＦ）３３、ＲＡＭ３４、記憶手段３５、印刷表示情報編集手段３６、印刷データ演算手段３７および印刷データファイル作成手段３８を、適宜備える。上記制御手段３１は、当該システムを統括的に制御するもので、そのためのプログラムを備える。上記ＩＦ３３は、入力手段１２、表示手段１３およびプリンタ２１とのデータ授受の整合性を図るためのハードウェアである。上記ＲＡＭ３４は、データの一時記憶のためのメモリであり、主に処理のための作業領域となる。上記記憶手段３５は、少なくとも印刷に関する種々のデータファイルを記憶するハードディスク等の記憶装置であるが、外部記憶装置としてもよい。
【００２１】
上記印刷表示情報編集手段３６は、少なくとも印刷する対象の印刷表示情報を作成させ、または取り込んだ当該印刷表示情報の変更や用紙上のレイアウトなどの編集作業を行わせるためのもので、そのためのプログラムが上記ＲＡＭ３４に展開されて実行される。上記印刷データ演算手段３７は、上記表示形態に応じて、少なくとも印刷対象の印刷表示情報のうち、何れの部分をどの頁に印刷させるかを演算するもので、そのためのプログラムが上記ＲＡＭ３４に展開されて実行される。
【００２２】
そして、上記印刷データファイル作成手段３８は、各印刷対象頁に対する印刷データを対応頁毎に上記プリンタに送出する印刷データファイルを作成するもので、そのためのプログラムが上記ＲＡＭ３４に展開されて実行される。なお、印刷表示情報編集手段３６は、用紙の重ね側面に対する可変的な印刷表示情報を編集させる場合のみならず、用紙上に印刷する所定の固定情報を配置、編集させる機能をも備える。
【００２３】
次に、図３に本発明に係る表示付き冊子の製造方法における第１実施形態としての図２の印刷制御処理装置による処理フローチャートを示すと共に、図４に図１における冊子の用紙毎に特定する印刷表示情報の説明図を示す。図３以降は、図１（Ｂ）に対応するもので、印刷表示情報を用紙面から重ね側面にかけて連続的に表示させる表示形態とする場合である。
【００２４】
図３において、まず、オペレータの選択指定による印刷表示情報編集手段３６の編集プログラムが起動される（Ｓ１１）。起動された表示手段１３上の編集画面において、印刷設定情報を設定させてこれを入力する（Ｓ１２）。印刷設定情報としては、少なくとも印刷対象枚数、用紙のサイズおよび厚みがある。
【００２５】
そして、Ｓ１３において、上記編集画面上で印刷したい印刷表示情報を作成させ、またはスキャナ等で取り込ませてこれを適宜編集させる。例えば、図４（Ａ）に示す印刷表示情報４１とする。このとき、設定させた大きさの用紙４２上で上記印刷表示情報４１のレイアウトを、例えば図４（Ｂ）のように用紙縁端の重ね状態で表示される重ね面となる重ね表示部分４３に配置させるための、可変的なレイアウト位置４４を設定入力させる。当該図４（Ｂ）は印刷対象用紙４２の最終頁として示される。
【００２６】
また、例えば、図４（Ｃ）に示すように、最初の頁（ここでは第１頁とする）に印刷する初期頁印刷表示情報Ｎ０も併せて設定入力させる。図４（Ｃ）（図５も同様）は、印刷表示情報４１のデータ状態を理解しやすいように誇張的に表示したもので、実際的にはさらに詳細（例えば３００×３００ｄｐｉ、もしくはこれ以上）に区分されるものである。一方、用紙４２上に所定の固定情報（頁毎に情報を変化させる可変情報でもよい）４５があれば、当該固定情報の編集、レイアウトもここで行われる。なお、上記Ｓ１２およびＳ１３は、同時進行でもよく、Ｓ１２の処理がＳ１３の処理の後であってもよい。
【００２７】
続いて、上記編集、設定等が終了すると、印刷データ演算手段３７が、印刷表示情報４１を図４（Ｃ）に示すようにデータ認識し、また、印刷表示情報４１から印刷方向に対して初期頁印刷表示情報Ｎ０を除いた残りの情報を印刷対象枚数で分割した一頁あたりの印刷方向変化量（同ピッチのＮ１〜）を演算する（Ｓ１４）。
【００２８】
また、次頁以降において、初期頁印刷表示情報Ｎ０（最初の部分的印刷表示情報４１Ａ１となる）に基づいて、順次、前頁の部分的印刷表示情報に上記演算した印刷方向変化量を付加する演算を行い、最終頁に印刷表示情報の全部を印刷するものとして、印刷最終頁までの総頁に対応させた部分的印刷表示情報及び全部印刷表示情報を演算することで当該印刷変化量を反映させる（Ｓ１５）。すなわち、２頁目にはＮ０＋Ｎ１の部分的印刷表示情報４１Ａ２、３ページ目にはＮ０＋Ｎ１＋Ｎ２の部分的表示情報４１Ａ３のように前頁の部分的印刷表示情報４１Ａに印刷方向変化量が付加されて最終頁には印刷表示情報４１の全部となるものである。
【００２９】
上記初期頁から最終頁までの各頁に対応する初期頁印刷情報、部分的印刷表示情報または全部印刷表示情報の演算の後、印刷データファイル作成手段３８が、これらに対応したレイアウト情報（表示情報量に応じたレイアウト位置４４）を関連づけた印刷データファイルを作成し、適宜、記憶手段３５に記憶する（Ｓ１６）。そして、上記制御手段３１が、プリンタ２１に対して、印刷頁に応じた印刷データファイルの印刷データを送出するものである（Ｓ１７）。
【００３０】
ここで、図５に図１における表示情報の印刷工程の説明図を示すと共に、図６に本発明に係る製造方法により製造された冊子の説明図を示す。図５において、上記作成された印刷データファイルの印刷データに基づいて、各用紙４２における印刷初期頁の用紙縁端４３のレイアウト位置４４に、初期頁印刷情報４１Ｎ０（部分的印刷表示情報４１Ａ１）が印刷され、次頁には印刷方向変化量の情報Ｎ１が付加された部分的印刷表示情報４１Ａ２が印刷される。なお、ここでは固定情報４５の印刷については省略してある。
【００３１】
そして、以降の各頁において、前頁の部分的印刷表示情報に印刷方向変化量の情報が付加された対応の各部分的印刷表示情報（４１Ａ３，４１Ａ６，・・・，４１Ａ１２）を印刷していき、印刷最終頁に全部の印刷表示情報４１が印刷されるものである。
【００３２】
上記のように初期頁印刷情報、各部分的印刷表示情報および全部印刷表示情報が印刷された用紙４２が、図６（Ａ）に示すように、重ねられ、印刷表示情報４１の対向側面で分離自在に接着固定されて冊子としてのメモ帳５１とされると、各用紙の情報が印刷された縁端の側面（厚さ面）には印刷インキが染み込んで重ね側面で染み込み模様が視認可能となり、用紙面から重ね側面５２にかけて上記印刷表示情報４１が連続的に視認可能に表示される。
【００３３】
なお、図６では、厚み方向に底面まで染み込んでいる状態を示しているが、用紙の質や、印刷方式により染み込みの度合いは異なる。従って、染み込み度合いが少ない場合には、印刷表面と比べて、縁端部のほうが薄く見えることとなる。また、図５において、単片用紙の縁端部に印刷している状況を示しているが、縁端部に印刷ができない印刷方式の場合には周辺に余白を設けた状態で印刷することとなる。この場合には、縁端部となる位置にて断裁することにより同様のものを作成することができる。さらに、印刷の位置精度や断裁の位置精度、染込みの安定性などを考慮して、断裁する位置は縁端部より０．５から１ｍｍ程度内側で断裁することが好ましい。このことは、以下の第２実施形態においても同様である。
【００３４】
上記のメモ帳５１は、図６（Ｂ）に示すように、重ねられた用紙束の途中部分においても用紙面から重ね側面５２にかけて上記印刷表示情報４１が連続的に視認可能に表示されるものである。すなわち、１枚ずつ使用して上から取り除かれても、常に印刷表示情報４１が用紙面から重ね側面５２にかけて連続的に表示されるものである。
【００３５】
このように、従前のように重ねた用紙束を断裁することなく用紙面から重ね側面５２にかけて印刷表示情報４１を連続的に表示させることができるもので、断裁のための工程やそのための設備を削減することができるものである。また、図６（Ａ）に示すように、各用紙上における印刷表示情報４１のメモ領域が確保された対向側に固定情報５３が形成されていても、断裁されないことから当該固定情報５３が切断されることもなく、換言すれば当該固定情報５３をも併せて印刷表示させることができるものである。
【００３６】
ここで、図７に、図３および図４における印刷表示情報の他の方法による特定の説明図を示す。上述の図４では、データ状態を理解しやすいように誇張的に表示したもので、区分された各区画のサイズが用紙の厚さと同等の場合として説明しているが、視認できる画像が編集画面での印刷表示情報と、図６に示すような重ね合わせ後に視認される画像とが、同一の寸法比とするためには、用紙の厚さを考慮する必要がある。
【００３７】
すなわち、図７（Ａ）に示すように、例えば、用紙１枚の厚さをｄ、重ねあわせる印刷対象の用紙枚数をｎ、表示可能な用紙幅をＬとすると、重ね合わせた際の表示領域（表示端面）は、縦がｄ×ｎ（Ｄ２とする）、幅がＬの矩形領域となる。また、図７（Ｂ）に示すように、初期頁の縁端から情報表示の最大利用可能領域までの長さをＤ１とすると、高さがＤ１＋Ｄ２で、幅がＬの領域内が印刷表示情報４１の領域となり、当該領域内に印刷表示情報４１の画像が収まるように当該印刷表示情報４１の画像を、適宜拡大縮小する。続いて、図７（Ｃ）に示すように、Ｄ１とＤ２の比率に対応するように当該画像情報を印刷方向に分割することで、印刷初期頁の表示画像情報が決定され、残りの画像情報を頁数ｎで割ることにより、1頁毎の印刷方向変化量が算出されて、次頁以降の画像情報が決定されるものである。
【００３８】
ところで、上記実施形態では、印刷初期頁を冊子（メモ帳）の第１頁として説明したが、重ね状態の途中の用紙を印刷初期頁としてもよい。また、上記実施形態では、枚葉の用紙を対象とした場合を示したが、連続用紙を用いて上記印刷を行い、印刷後に断裁して重ね状態として冊子（メモ帳）としてもよい。上記連続用紙への印刷形態は、搬送方向に対する幅方向を冊子形態用紙の１頁分の幅とする場合、または当該幅方向に複数頁分とする場合があるが、幅方向に複数頁分とする場合には、従前より行われているように、断裁、重ね工程に対応して重ねたときに順番となる位置が演算され、対応の表示情報が印刷される。これらのことは、以下の実施形態においても同様である。
【００３９】
次に、図８に本発明に係る表示付き冊子の製造方法における第２実施形態としての図２の印刷制御処理装置による処理フローチャートを示すと共に、図９に図８における冊子の用紙毎に特定する印刷表示情報の説明図を示す。図８以降は、図１（Ｃ）に対応するもので、印刷表示情報を重ね側面のみに表示させる表示形態とする場合である。すなわち、図９（Ａ）に示すように、冊子としてのメモ帳６１の所定の重ね側面６２にのみに印刷表示情報６３を表示させる場合である。なお、図９（後述の図１０も含む）は、上記同様に、印刷表示情報４１のデータ状態を理解しやすいように誇張的に表示してある。
【００４０】
図８において、まず、オペレータの選択指定による印刷表示情報編集手段３６の編集プログラムが起動される（Ｓ２１）。起動された表示手段１３上の編集画面において、印刷設定情報を設定させてこれを入力する（Ｓ２２）。印刷設定情報としては、上記同様に、印刷対象枚数、用紙のサイズおよび厚みがある。
【００４１】
そして、Ｓ２３において、上記編集画面上で印刷したい印刷表示情報６３を作成させ、またはスキャナ等で取り込ませてこれを適宜編集させる。このとき、設定させた大きさの用紙（６４）上で上記印刷表示情報６３の用紙大に対応したレイアウトを、用紙縁端の重ね状態で表示される重ね面となる重ね表示部分６２に配置させるための、可変的なレイアウト位置を設定入力させる。なお、上記同様に、Ｓ２２およびＳ２３は、同時進行でもよく、Ｓ２２の処理がＳ２３の処理の後であってもよい。
【００４２】
続いて、上記編集、設定等が終了すると、印刷データ演算手段３７が、印刷表示情報６３を図９（Ｂ）に示すようにデータ認識し、また、印刷表示情報６３から印刷方向に対して印刷対象枚数に応じた一頁あたりの印刷方向変化量（同ピッチのＮ０〜）を演算する（Ｓ２４）。
【００４３】
また、次頁以降において、印刷表示情報６３を、印刷方向に対して印刷初期頁から印刷最終頁まで、印刷方向変化量に応じて分割する演算を行い、各頁の部分的印刷表示情報を特定することで、当該印刷変化量をそのまま当該頁に反映させる（Ｓ２５）。すなわち、図９（Ｂ）に示すように、例えば用紙Ｘ１枚目〜用紙Ｘ６枚目に印刷表示情報６３の全部を印刷する場合、用紙Ｘ１枚目にはＮ０〜Ｎ５およびＮ８〜Ｍ３の各部分的印刷表示情報を割り当てるものである（他の頁は図１０で説明する）。
【００４４】
続いて、上記初期印刷頁（用紙Ｘ１枚目）から最終頁（用紙Ｘ６枚目）までの各頁に対応する部分的印刷表示情報の演算の後、印刷データファイル作成手段３８が、これらに対応したレイアウト情報（用紙縁端の重ね状態で表示される重ね面となる部分の位置情報）を関連づけた印刷データファイルを作成し、適宜、記憶手段３５に記憶する（Ｓ２６）。そして、上記制御手段３１が、プリンタ２１に対して、印刷頁に応じた印刷データファイルの印刷データを送出するものである（Ｓ２７）。
【００４５】
そこで、図１０に、図８における表示情報の印刷工程等の説明図を示す。図１０（Ａ）は印刷工程図、図１０（Ｂ）は製造された冊子（メモ帳）の説明図である。図１０（Ａ）において、上記作成された印刷データファイルの印刷データに基づいて、まず、印刷初期頁である用紙Ｘ１枚目の用紙縁端６２のレイアウト位置にはＮ０〜Ｎ５およびＮ８〜Ｍ３の各部分的印刷表示情報が印刷され、用紙Ｘ２枚目の用紙縁端６２のレイアウト位置にはＮ４，Ｎ５およびＮ８〜Ｍ３の各部分的印刷表示情報が印刷され、用紙Ｘ３枚目の用紙縁端６２のレイアウト位置にはＮ４，Ｎ５およびＭ０，Ｍ１の各部分的印刷表示情報が印刷される。
【００４６】
続いて、用紙Ｘ４枚目の用紙縁端６２のレイアウト位置にはＮ１〜Ｎ５およびＭ０，Ｍ１の各部分的印刷表示情報が印刷され、用紙Ｘ５枚目の用紙縁端６２のレイアウト位置にはＮ４，Ｎ５およびＭ０，Ｍ１の各部分的印刷表示情報が印刷され、用紙Ｘ６枚目の用紙縁端６２のレイアウト位置にはＮ４，Ｎ５およびＭ０，Ｍ１の各部分的印刷表示情報が印刷されるものである。
【００４７】
上記のように各部分的印刷表示情報が印刷された各用紙６４が、図９（Ａ）に示すように重ねられ、印刷表示情報６３の対向側面で分離自在に接着固定されて冊子としてのメモ帳６１とされると、印刷インキの染み込みにより、上記同様に、重ね側面で染み込み模様が視認可能となり、重ね側面６２に上記印刷表示情報６３が視認可能に表示される。そして、図１０（Ｂ）に示すように、当該印刷表示情報６３は重ね側面６２にのみが形成されたものとして、途中頁を見ても当該印刷表示情報６３は認識されないものである。
【００４８】
このように、従前のようにスタンプ等により重ね面にのみ情報表示させる場合に比して、当該スタンプ等の工程を削減することができ、また、スタンプ等のように固定情報に限らず、表示させる情報を可変的に印刷することができるものである。
【００４９】
なお、図９では、データ状態を理解しやすいように誇張的に表示したもので、区分された各区画のサイズが用紙の厚さと同等の場合として説明しているが、視認できる画像が編集画面での印刷表示情報と、図９に示すような重ね合わせ後に視認される画像とが、同一の寸法比とするためには、上記同様に、用紙の厚さを考慮する必要がある。
【００５０】
すなわち、図示しないが、上記同様に用紙１枚の厚さをｄ、重ねあわせる印刷対象用紙枚数をｍ、表示可能な用紙幅をＬ１とすると、重ね合わせた際の表示領域は、縦がｍ×ｎ（重ね側面６２のみ）、幅がＬ１の矩形領域となる。この領域内に印刷表示情報６３の画像情報が収まるように当該印刷表示情報４１の画像情報を、適宜拡大縮小する。そして、当該画像情報を頁数ｍで割ることにより、1頁毎の印刷方向変化量が算出されて、次頁以降の画像情報が決定されるものである。
【産業上の利用可能性】
【００５１】
本発明の表示付き冊子の製造方法は、メモ帳の他、書籍、辞書、法文集、雑誌等の用紙面から重ね側面にかけての連続的表示や重ね側面表示を付す場合に適する。
【図面の簡単な説明】
【００５２】
【図１】本発明に係る表示付き冊子の製造方法の原理説明図である。
【図２】本発明に係る表示付き冊子の冊子製造を実現する印刷システムの処理ブロック図である。
【図３】本発明に係る表示付き冊子の製造方法における第１実施形態としての図２の印刷制御処理装置による処理フローチャートである。
【図４】図１における冊子の用紙毎に特定する印刷表示情報の説明図である。
【図５】図１における表示情報の印刷工程の説明図である。
【図６】本発明に係る製造方法により製造された冊子の説明図である。
【図７】図３および図４における印刷表示情報の他の方法による特定の説明図である。
【図８】本発明に係る表示付き冊子の製造方法における第２実施形態としての図２の印刷制御処理装置による処理フローチャートである。
【図９】図８における冊子の用紙毎に特定する印刷表示情報の説明図である。
【図１０】図８における表示情報の印刷工程等の説明図である。
【図１１】従来の表示付きメモ帳の製造方法の説明図である。
【符号の説明】
【００５３】
１０            印刷システム
１１            印刷制御処理装置
２１            プリンタ
４１，６３      表示情報
４２，６４      用紙
４３            重ね表示部分
４４            レイアウト位置
４５            固定表示情報
５１，６１      冊子
５２，６２      重ね側面
【図１】
2006168220.tif 000003
【図２】
2006168220.tif 000004
【図３】
2006168220.tif 000005
【図４】
2006168220.tif 000006
【図５】
2006168220.tif 000007
【図６】
2006168220.tif 000008
【図７】
2006168220.tif 000009
【図８】
2006168220.tif 000010
【図９】
2006168220.tif 000011
【図１０】
2006168220.tif 000012
【図１１】
2006168220.tif 000013